(57)【要約】【課題】  従来、落とし蓋を用いる料理を作る時には、一例として、鍋に材料を入れてから、水と計量しただしを加えて加熱し、煮立ったらアクを取って計量した各種調味料を入れ、落とし蓋をし、火加減を調節して、材料が煮上がったら火を止めて料理を完成させていた。しかし、だしや各種調味料は料理の度に計量しなければならず、目分量では料理の度に味が変わる。また、飲食店、特に飲食チェーン店では同じ料理を高い頻度で作ることがある。そして同一チェーンの同じ料理であれば、他店舗でも同じ味を保つ事が求められる。未熟な店員でも厨房に入る店舗では、手軽に同じ味を保つ事が求められる。本発明は上記の課題を解決する調味料付き落とし蓋を提供する。【解決手段】  例えば落とし蓋、特にクッキングシートやアルミホイルなどの使い捨て材料を使用した落とし蓋に調味料を付加し、乾燥または半乾燥して調理に用いることで、飲食店や家庭で手軽に調理という目的を達することを特徴とするものである。【選択図】図１
2010110600.tif 000002
【特許請求の範囲】
【請求項１】
落とし蓋に調味料が付加してあることを特徴とする調味料付き落とし蓋。
【請求項２】
調味料が含浸してあることを特徴とする請求項１記載の調味料付き落とし蓋。
【請求項３】
調味料が被覆してあることを特徴とする請求項１記載の調味料付き落とし蓋。
【請求項４】
半乾燥してあることを特徴とする請求項１記載の調味料付き落とし蓋。
【請求項５】
乾燥してあることを特徴とする請求項１記載の調味料付き落とし蓋。
【請求項６】
クッキングシートなどのペーパー系使い捨て材料を使用したことを特徴とする請求項１記載の調味料付き落とし蓋。
【請求項７】
アルミホイルなどの金属系使い捨て材料を使用したことを特徴とする請求項１記載の調味料付き落とし蓋。
【発明の詳細な説明】
【技術分野】
【０００１】  本発明は、例えば落とし蓋を使う料理の時に調味料付き落とし蓋を使用する事により、料理の手間を省く事ができる調味料付き落とし蓋に関する。
【背景技術】
【０００２】  従来の落とし蓋には種々のものが出願されている。（例えば、特許文献１、実用新案文献１、２参照。）。
【特許文献１】特開平１０−０７５８９３号公報
【実用新案文献１】
実開昭５６−１６４７１６号公報
【実用新案文献２】
実開昭６２−１４６４２６号公報
【０００３】  以下、従来の落とし蓋について説明する。従来、煮物などをする時に、鍋の直径よりひとまわり小さい蓋を落とし蓋といって材料の上に直接のせて使い、少ない煮汁でも汁が全体にまわり、まんべんなく味を含ませ、熱効率がよく、経済的に調理をする事で目的を達していた。
【発明の開示】
【発明が解決しようとする課題】
【０００４】  従来、落とし蓋を用いる料理を作る時には、一例として、鍋に材料を入れてから、水と計量しただしを加えて加熱し、煮立ったらアクを取って計量した各種調味料を入れ、落とし蓋をし、火加減を調節して、材料が煮上がったら火を止めて料理を完成させていた。しかし、だしや各種調味料は料理の度に計量しなければならず、目分量では料理の度に味が変わってしまう。また、飲食店、特に飲食チェーン店では同じ料理を高い頻度で作ることがある。そして同一チェーンの同じ料理であれば、他店舗でも同じ味を保つ事が求められる。未熟な店員でも厨房に入る店舗では、手軽に同じ味を保つ事が求められる。昨今、家庭における料理も、共稼ぎの増加や核家族化、また高齢者や単身者の増加により、手軽に調理ができることが求められている。【０００５】  本発明は、上記のような問題点を解決することを課題とするものであって、その目的は即ち、料理を作る時に予め調製された調味料が付いた落とし蓋を用いる事により、手軽に調理ができる調味料付き落とし蓋を提供することにある。
【課題を解決するための手段】
【０００６】  上記目的を達成するために、本発明に係る調味料付き落とし蓋は、落とし蓋に調味料を付加し、乾燥または半乾燥して調理に用いることで目的を達する。【０００７】  落とし蓋は、例えばステンレス製の落とし蓋に、多くの穴か襞を設けた再利用可能な落とし蓋を用いる事も可能であるが、クッキングシートやアルミホイルなどの使い捨て材料を使用した方が、落とし蓋を洗う必要が無く、より手軽に調理ができるので好ましい。【０００８】  調味料付き落とし蓋は、料理によっても異なるが、目的とする料理用に調製された調味料に落とし蓋を浸したり、落とし蓋に調味料を塗布したり、吹き付けたりして、乾燥または半乾燥して作成する。落とし蓋に調味料の付着が悪い時は、調味料にゼラチン、寒天、カラギーナン等の熱変性物質を加えて熱溶し、落とし蓋に付着させ冷まし固める。この時水分が必要であれば加えて熱溶する。乾燥条件は、用いる調製調味料の状態等によって異なるが、乾燥方法は、通風乾燥、天日乾燥、熱風乾燥、間接加熱乾燥、蒸気乾燥、真空乾燥、凍結乾燥、赤外線乾燥、電磁波乾燥などが用いられるが、乾燥方法の併用もある。【０００９】  一実施例として、４人前用の調味料付き落とし蓋を使用して、４人前の肉じゃがを作る例で説明すれば、型枠に入れたクッキングシートにみりん大さじ４、酒大さじ２、風味調味料小さじ２、砂糖大さじ２、醤油大さじ４、塩小さじ半分、粉寒天３ｇを加えて熱溶して流し込み、冷却、乾燥して作った調味料付き落とし蓋と牛肉２００ｇ、じゃが芋４個、人参１本、玉ねぎ１個、絹さや８枚を用意して、具材の下ごしらえの後、鍋を熱し、少量の油を入れ、肉を炒め、じゃが芋、人参、玉ねぎも炒めて水をひたひたに注ぎ、火加減を中火にして、材料に軽く火が通ったら調味料付き落とし蓋をし、材料が煮上がったら調味料付き落とし蓋を取り、火を止めて器に盛り、別に茹でておいた絹さやをのせて料理が完成する。【００１０】  例えば、家庭で魚の煮付けを作る時に、魚種が変わっても同じ味付けで料理を作る事とか、野菜の煮物を作る時に、野菜が変わっても同じ味付けで料理を作る事が往々にしてある。肉料理も同様であるので、用意する調味料付き落とし蓋は少種でよい。また飲食店では同じ料理を数多く作るので、各々の料理に合わせた調味料付き落とし蓋を用意すると良い。このように野菜、肉、魚料理などには、作る料理の人数分用に調製した調味料付き落とし蓋を用意しておけば、各種調味料を計量することなく、少ない煮汁でも汁が全体にまわり、まんべんなく味を含ませ、熱効率がよく、経済的で、手軽に簡単に料理が出来るので、料理が不得手な人でも、時間に余裕がない人でも楽々と料理が出来る。
【発明の効果】
【００１１】  以上説明したように、本発明に係る調味料付き落とし蓋は、料理を作る時に予め調製された調味料が付いた落とし蓋を用いる事により、手軽に調理ができる調味料付き落とし蓋を提供する事で目的を達する。
【発明を実施するための最良の形態】
【００１２】  以下に本発明の実施形態を、図面を参照しながら具体的に説明するがこの実施形態に限定されるものではない。図１は本発明に係る調味料付き落とし蓋１で、落とし蓋にクッキングシート３を使用した例の斜視図である。【００１３】  クッキングシート３には調製された調味料２が付着している。調製された調味料２はクッキングシート３に浸み込んでいても良いし、主に具材側になる片面のみに付着していても良い。【００１４】  図２は落とし蓋の材料に、丸型のアルミホイル４を使用した例の斜視図であり、この例ではアルミホイル４に蒸気抜きおよびアク流出用の孔５が、落とし蓋全面に散点状に設けられているが、無くても良い。また調製された調味料２は主に具材側になる片面のみに付着していても良い。【００１５】  図３は図２例の蒸気抜きおよびアク流出用の孔５をも調製された調味料２が覆っている例の斜視図である。調製された調味料２によっては蒸気抜きおよびアク流出用の孔５を覆ってしまう場合があるからである。蒸気抜きおよびアク流出用の孔５は無くても良い。また調製された調味料２は主に具材側になる片面のみに付着していても良い。
【図面の簡単な説明】
【００１６】
【図１】調味料付き落とし蓋で、落とし蓋にクッキングシートを使用した例の斜視図
【図２】落とし蓋の材料に、丸型のアルミホイルを使用した例の斜視図
【図３】図２例の蒸気抜きおよびアク流出用の孔をも調製された調味料が覆っている例の斜視図
【符号の説明】
【００１７】  １  調味料付き落とし蓋
２  調製された調味料
３  クッキングシート
４  アルミホイル
５  蒸気抜きおよびアク流出用の孔
【図１】
2010110600.tif 000003
【図２】
2010110600.tif 000004
【図３】
2010110600.tif 000005
【手続補正書】
【提出日】平成22年1月5日(2010.1.5)
【手続補正１】
【補正対象書類名】特許請求の範囲
【補正対象項目名】請求項１
【補正方法】変更
【補正の内容】
【請求項１】
落とし蓋に調味料が付加してあることを特徴とする調味料付き落とし蓋であって、調味料にゼラチン、寒天、カラギーナン等の熱変性物質を加えて熱溶し、落とし蓋に付着させ冷まし固めてあることを特徴とする調味料付き落とし蓋。
【手続補正２】
【補正対象書類名】明細書
【補正対象項目名】０００８
【補正方法】変更
【補正の内容】
【０００８】  調味料付き落とし蓋は、料理によっても異なるが、目的とする料理用に調製された調味料に落とし蓋を浸したり、落とし蓋に調味料を塗布したり、吹き付けたりして、乾燥または半乾燥して作成する。なお、落とし蓋に調味料の付着を良くするために、調味料にゼラチン、寒天、カラギーナン等の熱変性物質を加えて熱溶し、落とし蓋に付着させ冷まし固める。この時水分が必要であれば加えて熱溶する。乾燥条件は、用いる調製調味料の状態等によって異なるが、乾燥方法は、通風乾燥、天日乾燥、熱風乾燥、間接加熱乾燥、蒸気乾燥、真空乾燥、凍結乾燥、赤外線乾燥、電磁波乾燥などが用いられるが、乾燥方法の併用もある。